(57)【特許請求の範囲】
【請求項１】
ＧＮＳＳ信号を受信するＧＮＳＳアンテナと、
前記ＧＮＳＳアンテナで受信した前記ＧＮＳＳ信号から観測データを生成するＧＮＳＳ受信機と、
無線通信を制御する無線ＬＡＮ制御部と、
前記観測データを記憶する記憶部と、
前記無線通信による前記観測データのアップロードを制御する制御部と、を備え、
前記制御部は、
前記無線通信の未確立を検出すると、前記アップロードが未完了の観測データを前記記憶部に記憶し、
前記無線通信の再確立を検出すると、最新の観測データに続けて、前記記憶部に記憶されている観測データを、新しく生成された順に読み出してアップロードし、
今回の前記再確立の時にアップロードできなかった観測データを、次回以降の前記無線通信の確立時に、前記再確立の後の最新の観測データに続けて、前記再確立の時にアップロードできなかった観測データを、新しく生成された順に読み出してアップロードする、
観測データ送信装置。
【請求項２】
請求項１に記載の観測データ送信装置であって、
前記制御部は、
前記記憶部の容量に新たな観測データの記憶の空きがないことを検出すると、
前記記憶部に記憶されている最古の観測データに前記新たな観測データを上書きして、前記記憶部に記憶させる、
観測データ送信装置。
【請求項３】
請求項１に記載の観測データ送信装置であって、
前記制御部は、
前記記憶部の容量に新たな観測データの記憶の空きがないことを検出すると、
前記新たな観測データを前記記憶部に記憶しない、
観測データ送信装置。
【請求項４】
請求項１乃至請求項３のいずれかに記載の観測データ送信装置であって、
前記観測データのアップロードに関する通知を外部へ行う通知部を備える、
観測データ送信装置。
【請求項５】
請求項１乃至請求項４のいずれかに記載の観測データ送信装置と、
前記観測データ送信装置の前記無線ＬＡＮ制御部との間で無線通信制御を行う無線ＬＡＮアクセスポイント、および、該無線ＬＡＮアクセスポイントと通信ネットワークとの接続を行うルータを備えた中継機と、
前記通信ネットワークに接続し、アップロードされた観測データを記憶するファイルサーバと、
前記通信ネットワークに接続し、前記観測データを用いた解析を行う解析装置と、を備え、
前記解析装置は、
前記無線通信の切断によるアップロードの失敗の判断基準を設定し、
前記通信ネットワーク、前記中継機を介して、前記判断基準を前記観測データ送信装置の制御部に与える、
観測システム。
【請求項６】
請求項５に記載の観測システムであって、
前記解析装置は、
前記観測データ送信装置のアップロード時刻を設定し、
前記通信ネットワーク、前記中継機を介して、前記判断基準を前記観測データ送信装置の制御部に与える、
観測システム。
【請求項７】
請求項５または請求項６に記載の観測システムであって、
前記解析装置は、
前記観測データを前記記憶部に記憶する法則を設定し、
前記通信ネットワーク、前記中継機を介して、前記判断基準を前記観測データ送信装置の制御部に与える、
観測システム。
【請求項８】
ＧＮＳＳ信号をＧＮＳＳアンテナで受信するＧＮＳＳ信号受信工程と、
前記ＧＮＳＳアンテナで受信した前記ＧＮＳＳ信号から観測データを生成するＧＮＳＳ受信工程と、
前記観測データを記憶する記憶工程と、
前記観測データのアップロードを含む無線通信を制御する制御工程と、を有し、
前記制御工程は、
前記無線通信の未確立を検出すると、前記アップロードが未完了の観測データを記憶し、
前記無線通信の再確立を検出すると、最新の観測データに続けて、記憶されている観測データを、新しく生成された順に読み出してアップロードし、
前記再確立の時にアップロードできなかった観測データを、次回以降の前記無線通信の確立時に、前記再確立の後の最新の観測データに続けて、前記再確立の時にアップロードできなかった観測データを、新しく生成された順に読み出してアップロードする、
観測データ送信方法。
【発明の詳細な説明】
【技術分野】
【０００１】
本発明は、地滑り等の物理的な変化を観測する観測データを取得して送信する観測データ送信装置、この観測データ送信装置を含む観測システムに関する。
【背景技術】
【０００２】
現在、防災の観点から、地滑り等の観測を行うシステムが各種考案されている。例えば、特許文献１に記載の観測データ回収システムは、複数の解析装置、複数の中継装置、および集約装置を備える。
【０００３】
１つの中継装置には複数の解析装置がリンクしている。各中継装置がリンクする解析装置は異なる。集約装置は、複数の中継装置にリンクしている。
【０００４】
中継装置は、自身がリンクしている複数の解析装置の観測データを取得する。中継装置は、取得した複数の観測データをまとめて、集約装置に送信する。
【先行技術文献】
【特許文献】
【０００５】
【特許文献１】特開２００４−１８５４５９号公報
【発明の概要】
【発明が解決しようとする課題】
【０００６】
しかしながら、複数の解析装置が中継装置または集約装置に対して無線通信によって観測データを送信（アップロード）する場合、無線通信機器の健康状態、通信環境によって、観測データをアップロードできないていないことがある。
【０００７】
従来の一般的な構成では、解析装置は、アップロード処理を行うと、当該アップロードが成功したか失敗したかに関わらす、観測データを消去していた。
【０００８】
このため、一部でもアップロードを失敗していると、集約装置では観測データに部分的な欠落が生じ、観測データを用いて行う計測や予測等が不十分なものになることが考えられる。
【０００９】
本発明の目的は、観測対象位置に配置された子機が取得した観測データを、より確実にアップロードすることができる観測データ送信装置、観測データ送信方法、および、これらを用いた観測システムを提供することにある。
【課題を解決するための手段】
【００１０】
この発明の観測データ送信装置は、ＧＮＳＳアンテナ、ＧＮＳＳ受信機、無線ＬＡＮ制御部、記憶部、および制御部を備える。ＧＮＳＳアンテナは、ＧＮＳＳ信号を受信する。ＧＮＳＳ受信機は、ＧＮＳＳアンテナで受信したＧＮＳＳ信号から観測データを生成する。無線ＬＡＮ制御部は、無線通信を制御する。記憶部は、観測データを記憶する。制御部は、無線ＬＡＮ制御部の無線通信を制御する。さらに、制御部は、無線通信の切断を検出すると、観測データを記憶部に記憶する。制御部は、無線通信の再接続を検出すると、最新の観測データに続けて、記憶部に記憶されている観測データを、新しく生成された順に読み出してアップロードする。
【００１１】
この構成では、無線通信の不調等によってアップロードできない観測データが生じても、リアルタイム性は低下するものの、この観測データをアップロードすることができる。
【００１２】
また、この発明の観測データ送信装置では、制御部は、記憶部の容量に新たな観測データの記憶の空きがないことを検出すると、記憶部に記憶されている最古の観測データに新たな観測データを上書きして、記憶部に記憶させる。
【００１３】
この構成では、アップロードできない観測データがある際に、記憶部が容量不足になっても、常に最新の観測データを記憶し続けることができる。これにより、無線通信の再構築後は、アップロードできなかった観測データ群のうち、最も新しい観測データ群をアップロードすることができる。
【００１４】
また、この発明の観測データ送信装置では、制御部は、記憶部の容量に新たな観測データの記憶の空きがないことを検出すると、新たな観測データを記憶部に記憶しない。
【００１５】
この構成では、アップロードできない観測データがある際に、記憶部が容量不足になっても、アップロードできなくなった時から所定時間の観測データを記憶することができる。
【００１６】
また、この発明の観測システムは、上述のいずれかに記載の観測データ送信装置、中継機、ファイルサーバ、および、解析装置を備える。中継機は、観測データ送信装置の無線ＬＡＮ制御部との間で無線通信制御を行う無線ＬＡＮアクセスポイント、および、該無線ＬＡＮアクセスポイントと通信ネットワークとの接続を行うルータを備える。ファイルサーバは、通信ネットワークに接続し、アップロードされた観測データを記憶する。解析装置は、通信ネットワークに接続し、観測データを用いた解析を行う。さらに、解析装置は、アップロードの失敗の判断基準を設定し、ファイルネットワーク、中継機を介して、判断基準を観測データ送信装置の制御部に与える。
【００１７】
この構成では、観測データ送信装置におけるアップロードの成功、失敗の判断基準を、遠隔操作によって設定することができる。これにより、観測データ送信装置が解析装置から離間し、観測データ送信装置が容易に近づけない位置に配置されていても、観測データのアップロードの成功、失敗の判断基準を容易に設定することができる。
【００１８】
また、この発明の観測システムでは、解析装置は、観測データ送信装置のアップロード時刻を設定し、ファイルネットワーク、中継機を介して、判断基準を観測データ送信装置の制御部に与える。
【００１９】
この構成では、観測データ送信装置のアップロード時刻を遠隔操作によって設定することができる。これにより、例えば、解析頻度に応じたアップロードの間隔を設定することができる。また、例えば、複数の観測データ送信装置が配置されている場合に、観測データ送信装置毎のアップロード時間の割り当てを設定することができる。
【００２０】
また、この発明の観測システムでは、解析装置は、アップロードに失敗した観測データを記憶部に記憶する法則を設定し、ファイルネットワーク、中継機を介して、判断基準を観測データ送信装置の制御部に与える。
【００２１】
この構成では、観測データ送信装置における観測データを記憶部に記憶する法則を、遠隔操作することができる。これにより、観測データにおけるアップロードに失敗した観測データのうち、解析に必要な観測データを優先的に記憶して、再アップロードすることができる。
【発明の効果】
【００２２】
この発明によれば、観測データを従来の構成および方法よりも確実にアップロードすることができる。
【図面の簡単な説明】
【００２３】
【図１】本発明の実施形態に係る観測システムのブロック図
【図２】本発明の実施形態に係る観測データ送信方法のフローチャート
【図３】本発明の実施形態に係る観測データ送信方法の概念を示すタイミングチャート
【図４】定常時のメモリへの記憶、読み出し処理を示すメモリマップ
【図５】アップロードができなかった場合の記憶、読み出し処理を示すメモリマップ
【図６】複数回に亘って未完の観測データをアップロードする場合の観測データの読み出し処理を示すメモリマップ
【図７】メモリの記憶容量が一杯な状態で新たな観測データを取得した場合の記憶更新の処理を示すメモリマップ
【図８】メモリの記憶容量が一杯な状態で新たな観測データを取得した場合の記憶更新の処理を示すメモリマップ
【図９】本発明の実施形態に係る観測データ送信方法におけるアップロード時刻を変更したタイミングチャート
【発明を実施するための形態】
【００２４】
本発明の実施形態に係る観測データ送信装置、観測データ送信方法、観測システムについて、図を参照して説明する。なお、本実施形態で示す観測システムは、例えば、地滑り検出システム等に用いられる。しかしながら、遠隔地で取得した観測データを用いて、所定の現象について解析を行うシステムであれば、本実施形態の構成および方法を適用することができる。
【００２５】
図１は、本発明の実施形態に係る観測システムのブロック図である。観測システム１０は、子機（観測データ送信装置）２０、親機（中継機）３０、ファイルサーバ４０、解析装置５０、および通信ネットワーク１００を備える。
【００２６】
子機２０は、観測位置に配置される。観測位置が複数箇所の場合、観測位置毎に子機２０が配置される。
【００２７】
子機２０は、制御部２１、ＧＮＳＳ受信機２２、ＧＮＳＳアンテナ２３、無線ＬＡＮ制御部２４、無線ＬＡＮ用アンテナ２５、メモリ２６、および、通知部２７を備える。子機２０は、可能な限りオープンスカイな環境に配置されていることが好ましい。
【００２８】
制御部２１は、子機２０の全体制御を行う。また、制御部２１は、観測データの記憶、アップロードの制御を行う。制御部２１における観測データの記憶、アップロードの制御についての具体的な内容は、後述する。
【００２９】
ＧＮＳＳ受信機２２は、制御部２１に接続されている。ＧＮＳＳ受信機２２は、ＧＮＳＳアンテナ２３で受信したＧＮＳＳ信号から観測データを生成する。ＧＮＳ受信機２２は、生成した観測データを制御部２１に出力する。
【００３０】
ＧＮＳＳとは、Ｇｌｏｂａｌ  Ｎａｖｉｇａｔｉｏｎ  Ｓａｔｅｌｌｉｔｅ  Ｓｙｓｔｅｍの略語であり、ＧＰＳ（Ｇｌｏｂａｌ  Ｐｏｓｉｔｉｏｎｉｎｇ  Ｓｙｓｔｅｍ）、ＧＬＯＮＡＳＳ、Ｇａｌｉｌｅｏ等を含む。なお、ＱＺＳＳ（準天頂衛星システム）の衛星からの測位信号も、本願発明のＧＮＳＳ信号に含まれる。
【００３１】
ＧＮＳＳ受信機２２で生成される観測データは、搬送波位相等、地滑りの解析、検出に利用し、ＧＮＳＳ信号の受信結果（捕捉、追尾によって得られるデータ）から得られるデータである。
【００３２】
また、ＧＮＳＳ受信機２２は、ＧＮＳＳ信号から航法メッセージを復調する。ＧＮＳＳ受信機２２は、航法メッセージから時刻データを取得する。なお、ＧＮＳＳ受信機２２は、ＧＮＳＳ信号の追尾結果から子機２０を測位してもよい。この場合、観測データには、測位結果が含まれる。
【００３３】
無線ＬＡＮ制御部２４は、無線ＬＡＮ用アンテナ２５、制御部２１に接続されている。無線ＬＡＮ制御部２４は、無線ＬＡＮ用アンテナ２５および無線ＬＡＮ用アンテナ３１を介した無線ＬＡＮ用ＡＰ３２との無線通信を、予め決められたプロトコルによって実行する。無線ＬＡＮ制御部２４は、制御部２１から与えられた観測データを、無線通信のプロトコルに変換して、無線ＬＡＮ用アンテナ２５から送信する。また、無線ＬＡＮ制御部２４は、無線ＬＡＮ用アンテナ２５で受信した親機３０からの遠隔設定データをプロトコル変換して制御部２１に出力する。
【００３４】
メモリ２６は、制御部２１に接続されている。メモリ２６は観測データを記憶する。メモリ２６に対する観測データの書き込み仕様および読み出し仕様は、後述する。
【００３５】
通知部２７は、制御部２１に接続されている。通知部２７は、ＬＥＤ等の簡易な表示素子によって構成されている。通知部２７は、制御部２１からの通知信号によって、所定の表示態様に駆動される。
【００３６】
親機３０は、無線ＬＡＮ用アンテナ３１、無線ＬＡＮＡＰ（アクセスポイント）３２、および、ルータ３３を備える。
【００３７】
無線ＬＡＮＡＰ３２は、無線ＬＡＮ用アンテナ３１および無線ＬＡＮ用アンテナ２５を介した無線ＬＡＮ制御部２４との無線通信を、予め決められたプロトコルによって実行する。無線ＬＡＮＡＰ３２は、ルータ３３を介して取得した遠隔設定データをプロトコル変換して、無線ＬＡＮ用アンテナ３１から送信する。また、無線ＬＡＮＡＰ３２は、無線ＬＡＮ用アンテナ３１で受信した子機２０からの観測データをプロトコル変換してルータ３３に出力する。
【００３８】
ルータ３３は、無線ＬＡＮＡＰ３２をネットワーク１００に接続する。すなわち、ルータ３３は、親機３０と子機２０との無線通信網とネットワーク１００との間でのプロトコル変換を実行する。ルータ３３は、無線ＬＡＮＡＰ３２から出力される観測データを、ファイルサーバ４０に送信する。ルータ３３は、ネットワーク１００を介して接続された解析装置５０からの遠隔設定データを、無線ＬＡＮＡＰ３２に送信する。
【００３９】
ファイルサーバ４０は、親機３０から送信される観測データを記憶する。また、ファイルサーバ４０は、解析装置５０からの読み出し要求に応じて、観測データを、解析装置５０に送信する。
【００４０】
解析装置５０は、ファイルサーバ４０から読み出した観測データを用いて、観測対象に対する検出データを生成する。例えば、観測システム１０が地滑り検出システムであれば、観測データから各観測位置の位置変化および速度を取得して、地滑りを検出する。解析装置５０は、親機３０および子機２０に対して遠隔設定データを送信する。遠隔設定データは、解析装置５０に備えられた操作入力部を用いてオペレータによって設定される。また、遠隔設定データは、解析装置５０がこれまでの解析結果に基づいて自動で設定してもよい。
【００４１】
このような構成からなる観測システムにおいて、子機（観測データ送信装置）２０は、次に示す方法によって、観測データをファイルサーバ４０にアップロードする。
【００４２】
図２は、本発明の実施形態に係る観測データ送信方法のフローチャートである。図３は、本発明の実施形態に係る観測データ送信方法の概念を示すタイミングチャートである。
【００４３】
子機２０の制御部２１は、観測時刻Ｔｏｂ毎に、観測データＤｏｂを取得する（Ｓ１０１）。観測時刻Ｔｏｂは、全ての子機で一致している。例えば、図３に示すように、三機の子機Ａ，Ｂ，Ｃが配置されている時、これらの複数の子機Ａ，Ｂ，Ｃは、同期している。観測時刻ＴｏｂＡ，ＴｏｂＢ，ＴｏｂＣは、この同期した時刻に基づいて決定されている。複数の子機Ａ，Ｂ，Ｃの同期には、ＧＮＳＳ信号の時刻データが用いられる。これにより、基準信号発生器を用いることなく、複数の子機Ａ，Ｂ，Ｃを同期させることができる。観測時刻Ｔｏｂ（ＴｏｂＡ，ＴｏｂＢ，ＴｏｂＣ）は、例えば１秒間隔に設定されている。
【００４４】
制御部２１は、取得した観測データＤｏｂを、取得順にメモリ２６に一時記憶する（Ｓ１０２）。制御部２１は、観測データＤｏｂを時刻データ（観測時刻）とともに記憶する。
【００４５】
制御部２１は、計時しており、アップロード時刻Ｔｕｐでないことを検出すると（Ｓ１０３：Ｎｏ）、継続して観測データＤｏｂを取得して一時記憶する。
【００４６】
制御部２１は、アップロード時刻Ｔｕｐであることを検出すると（Ｓ１０３：Ｙｅｓ）、観測データＤｏｂのアップロードを実行する。
【００４７】
なお、アップロード時刻Ｔｕｐは、子機毎に設定されている。図３に示すように、子機Ａのアップロード時刻ＴｕｐＡ、子機Ｂのアップロード時刻ＴｕｐＢ、および、子機Ｃのアップロード時刻ＴｕｐＣは異なる。そして、各子機Ａ，Ｂ，Ｃは、アップロード時刻ＴｕｐＡ，ＴｕｐＢ，ＴｕｐＣによって割り当てられた時間内において、観測データのアップロードを実行する。
【００４８】
具体的に、図３の例であれば、全ての子機Ａ，Ｂ，Ｃからの観測データをアップロードする周期Ｔｃｙによって決まる時間を子機数で除算する。この除算によって得られる時間が各子機Ａ，Ｂ，Ｃに割り当てられる。そして、各時間の起点となる時刻が、それぞれのアップロード時刻ＴｕｐＡ，ＴｕｐＢ，ＴｕｐＣに設定される。
【００４９】
このような処理を行うことによって、複数の子機が同時に無線通信を行うことを防止できるので、子機と親機との間の無線通信のデータ転送速度（ビットレート）の低下を抑制できる。また、複数の子機から親機３０へのアップロードされる観測データ同士が干渉しない。したがって、各子機から親機３０を介してファイルサーバ４０に確実に観測データをアップロードすることができる。
【００５０】
制御部２１は、無線ＬＡＮ制御部２４をウエイクアップして、無線ＬＡＮ制御部２４と無線ＬＡＮＡＰ３２との間でのデータ通信を確立させる。また、制御部２１は、ネットワーク１００を介してファイルサーバ４０に観測データＤｏｂをアップロードできるか否かを検出する。制御部２１は、通信の確立の判断処理に対して閾値を設けている。制御部２１は、通信の確立処理を閾値回数行って通信を確立できなければ、アップロード不可能と判定する。また、制御部２１は、通信確立用のデータを送信してからの時間を計測し、閾値時間までに応答データを受信できなければ、アップロード不可能と判定する。
【００５１】
制御部２１は、アップロードが不可能であれば（Ｓ１０４：ＮＯ）、記憶中であるアップロードができなかった観測データ（未完了の観測データ）をそのままメモリ２６に記憶し続ける（Ｓ１１０）。
【００５２】
制御部２１は、アップロードが可能であれば（Ｓ１０４：ＹＥＳ）、以前のアップロード時刻においてファイルサーバ４０にアップロードできなかった観測データ（未完了の観測データ）があるか否かを検出する。
【００５３】
制御部２１は、未完了の観測データが無いことを検出すると（Ｓ１０５：ＹＥＳ）、今回のアップロード時刻Ｔｕｐまでに記憶されている複数の観測データＤｏｂからなるアップロードデータＤｕｐをアップロードする（Ｓ１０６）。アップロードデータＤｕｐは、最新の観測データＤｏｂから時刻の新しい順に複数の観測データＤｏｂが並ぶデータである。例えば、図３の例であれば、子機Ａは、今回のアップロード時刻ＴｕｐＡまでに記憶されている複数の観測データＤｏｂＡからなるアップロードデータＤｕｐＡをアップロードする。子機Ｂは、今回のアップロード時刻ＴｕｐＢまでに記憶されている複数の観測データＤｏｂＢからなるアップロードデータＤｕｐＢをアップロードする。子機Ｃは、今回のアップロード時刻ＴｕｐＣまでに記憶されている複数の観測データＤｏｂＣからなるアップロードデータＤｕｐＣをアップロードする。
【００５４】
制御部２１は、アップロードが完了したことを検出すると、メモリ２６に一時記憶している観測データＤｏｂを削除する（Ｓ１０７）。
【００５５】
制御部２１は、未完了の観測データがあることを検出すると（Ｓ１０５：ＮＯ）、最新の観測データをアップロードする（Ｓ１０８）。制御部２１は、最新の観測データに引き続いて、未完了の観測データをアップロードする（Ｓ１０９）。制御部２１は、アップロードの完了したメモリ２６に一時記憶している観測データＤｏｂを削除する（Ｓ１０７）。
【００５６】
このように、本実施形態の構成を用いることによって、観測データＤｏｂがアップロードできない期間が生じても、アップロードが可能な期間に観測データＤｏｂをアップロードすることができる。これにより、ファイルサーバ４０に記憶される観測データＤｏｂの欠損を抑制することができる。したがって、解析装置５０による解析結果を高精度にすることができる。
【００５７】
さらに、本実施形態では、最新の観測データから優先してアップロードされる。これにより、現状に近い観測データの欠損を抑制でき、現状に対する解析結果を高精度にすることができる。
【００５８】
上述の通信の確立処理のための閾値は、解析装置４０から、ネットワーク１００、親機３０を介して、制御部２１に設定することができる。これにより、オペレータが所望の閾値を設定することができる。また、オペレータは、子機２０を直接操作しなくても、閾値を設定することができる。これにより、子機２０が容易に到達できない位置に配置されても、閾値を設定することができる。例えば、地滑り検出システムでは、子機２０は、山中で上空が開放している位置等、人が容易に到達できない位置に配置されていることがある。しかしながら、この構成を用いることによって、このような位置に配置された子機に対しても、閾値を設定することができる。なお、子機に対する設定は、閾値に限ることなく、解析装置４０から設定することができる。
【００５９】
次に、具体的なメモリ２６への観測データＤｏｂの記憶方法、および読み出し方法を説明する。図４は、定常時のメモリへの記憶、読み出し処理を示すメモリマップである。図５は、アップロードができなかった場合の記憶、読み出し処理を示すメモリマップである。
【００６０】
制御部２１は、観測データＤｏｂを取得した順に、メモリ２６に記憶する。例えば、図４に示すように、制御部２１は、観測時刻ＴｏｂＡ１１で観測データＤｏｂ（ｔ１１）を取得すると、観測データＤｏｂ（ｔ１１）をメモリ２６に記憶する。制御部２１は、観測時刻ＴｏｂＡ１２で観測データＤｏｂ（ｔ１２）を取得すると、メモリ２６における観測データＤｏｂ（ｔ１１）の記憶アドレスに続くアドレスに、観測データＤｏｂ（ｔ１２）を記憶する。制御部２１は、この処理を順次繰り返し、アップロード時刻ＴｕｐＡ１に達すると、アップロード時刻ＴｕｐＡ１である観測時刻ＴｏｂＡ１ｍにおける観測データＤｏｂ（ｔ１ｍ）から観測データＤｏｂ（ｔ１１）までの複数の観測データを、観測時刻の新しい順にアップロードする。
【００６１】
次に、前回のアップロード時刻でアップロードできなかった場合について、図５を用いて説明する。制御部２１は、アップロード時刻ＴｏｂＡ１でアップロードができなかった場合、観測データＤｏｂ（ｔ１１）から観測データＤｏｂ（ｔ１ｍ）をそのまま記憶しておく。制御部２１は、観測時刻ＴｏｂＡ２１で観測データＤｏｂ（ｔ２１）を取得すると、観測データＤｏｂ（ｔ２１）をメモリ２６に記憶する。この際、制御部２１は、観測データＤｏｂ（ｔ１１）から観測データＤｏｂ（ｔ１ｍ）が記憶されたアドレスに続くアドレスに、観測データＤｏｂ（ｔ２１）を記憶する。制御部２１は、観測時刻ＴｏｂＡ２２で観測データＤｏｂ（ｔ２２）を取得すると、メモリ２６における観測データＤｏｂ（ｔ２１）の記憶アドレスに続くアドレスに、観測データＤｏｂ（ｔ２２）を記憶する。制御部２１は、この処理を順次繰り返し、アップロード時刻ＴｕｐＡ２に達すると、アップロード時刻ＴｕｐＡ２である観測時刻ＴｏｂＡ２ｍにおける観測データＤｏｂ（ｔ２ｍ）から観測データＤｏｂ（ｔ２１）までの複数の観測データを、観測時刻の新しい順にアップロードする。さらに、制御部２１は、アップロードが未完である観測データＤｏｂ（ｔ１ｍ）から観測データＤｏｂ（ｔ１１）までの複数の観測データを、観測時刻の新しい順にアップロードする。
【００６２】
この際、一回のアップロードによって、未完である全ての観測データをアップロードできない場合がある。この場合、制御部２１は、次に示す処理を実行する。図６は、複数回に亘って未完の観測データをアップロードする場合の観測データの読み出し処理を示すメモリマップである。
【００６３】
制御部２１は、アップロード時刻ＴｕｐＡ２に達すると、アップロード時刻ＴｕｐＡ２である観測時刻ＴｏｂＡ２ｍにおける観測データＤｏｂ（ｔ２ｍ）から観測データＤｏｂ（ｔ２１）までの複数の観測データを、観測時刻の新しい順にアップロードする。さらに、制御部２１は、子機毎に設定されたアップロード時刻から決まるアップロード期間内に収まるように、アップロードが未完である観測データＤｏｂ（ｔ１ｍ）から観測データＤｏｂ（ｔ１ｋ）までの複数の観測データを、観測時刻の新しい順にアップロードする。制御部２１は、アップロードできた観測データＤｏｂ（ｔ２ｍ）から観測データＤｏｂ（ｔ２１）、観測データＤｏｂ（ｔ１ｍ）から観測データＤｏｂ（ｔ１ｋ）を削除する。この処理では、アップロードが未完である観測データＤｏｂ（ｔ１ｊ）から観測データＤｏｂ（ｔ１１）は、まだアップロードできていない。制御部２１は、アップロードが未完である観測データＤｏｂ（ｔ１ｊ）から観測データＤｏｂ（ｔ１１）を、メモリ２６にそのまま記憶しておく。
【００６４】
制御部２１は、アップロード時刻ＴｕｐＡ３に達すると、アップロード時刻ＴｕｐＡ３である観測時刻ＴｏｂＡ３ｍにおける観測データＤｏｂ（ｔ３ｍ）から観測データＤｏｂ（ｔ３１）までの複数の観測データを、観測時刻の新しい順にアップロードする。さらに、制御部２１は、アップロード期間内に収まるように、アップロードが未完である観測データＤｏｂ（ｔ１ｊ）から観測データＤｏｂ（ｔ１１）までの複数の観測データを、観測時刻の新しい順にアップロードする。
【００６５】
このように、一度の再アップロードで全ての観測データをアップロードできなくても、複数回の再アップロードで全ての観測データをアップロードすることができる。
【００６６】
また、メモリ２６の容量は有限である。したがって、観測データＤｏｂに対する記憶容量も決まっている。記憶容量を超える観測データＤｏｂを新たに記憶する場合、本実施形態の制御部２１は、図７、図８のいずれかに示す処理を実行する。図７、図８は、メモリの記憶容量が一杯な状態で新たな観測データを取得した場合の記憶更新の処理を示すメモリマップである。図７は、新たな観測データを古い観測データに上書きする場合を示し、図８は新たな観測データを記憶しない場合を示す。
【００６７】
（ｉ）新たな観測データで古い観測データを上書きする場合
図７の観測時刻ＴｏｂＡｎｈ，ＴｏｂＡｎｉに示すように、制御部２１は、新たな観測データを記憶可能な時には、新たな観測データをそのままメモリ２６に記憶させる。例えば、図７に示すように、観測時刻ＴｏｂＡｎｈでは、観測データＤｏｂ（ｔｎｈ）を記憶する容量が存在するので、制御部２１は、観測データＤｏｂ（ｔｎｈ）を、メモリ２６の空き領域に記憶する。観測時刻ＴｏｂＡｎｈがアップロード時刻の場合、制御部２１は、観測データＤｏｂ（ｔｎｈ）から観測時刻の新しい順に複数の観測データをアップロードする。
【００６８】
同様に、観測時刻ＴｏｂＡｎｉでは、観測データＤｏｂ（ｔｎｉ）を記憶する容量が存在するので、制御部２１は、観測データＤｏｂ（ｔｎｉ）を、メモリ２６の空き領域に記憶する。観測時刻ＴｏｂＡｎｉがアップロード時刻の場合、制御部２１は、観測データＤｏｂ（ｔｎｉ）から観測時刻の新しい順に複数の観測データをアップロードする。
【００６９】
観測時刻ＴｏｂＡｎｊでは、図７に示すように、制御部２１は、新たな観測データＤｏｂ（ｔｎｊ）を取得すると、メモリ２６の容量不足を検出し、メモリ２６に記憶されている最も観測時刻の古い観測データＤｏｂ（ｔ１１）の領域に、新たな観測データＤｏｂ（ｔｎｊ）を上書き記憶する。観測時刻ＴｏｂＡｎｊがアップロード時刻の場合、制御部２１は、観測データＤｏｂ（ｔｎｊ）から観測時刻の新しい順に複数の観測データをアップロードする。
【００７０】
観測時刻ＴｏｂＡｎｋでは、図７に示すように、制御部２１は、新たな観測データＤｏｂ（ｔｎｋ）を取得すると、メモリ２６の容量不足を検出し、メモリ２６に記憶されている最も観測時刻の古い観測データＤｏｂ（ｔ１２）の領域に、新たな観測データＤｏｂ（ｔｎｋ）を上書き記憶する。観測時刻ＴｏｂＡｎｋがアップロード時刻の場合、制御部２１は、観測データＤｏｂ（ｔｎｋ）から観測時刻の新しい順に複数の観測データをアップロードする。
【００７１】
このような構成とすることによって、メモリ２６の記憶容量を超える観測データＤｏｂを取得した場合に、観測時刻の新しい観測データを確実にアップロードすることができる。
【００７２】
（ｉｉ）新たな観測データで古い観測データを上書きしない場合
図８の観測時刻ＴｏｂＡｎｈ，ＴｏｂＡｎｉに示すように、制御部２１は、新たな観測データを記憶可能な時には、新たな観測データをそのままメモリ２６に記憶させる（図７の場合と同じ処理を実行する）。
【００７３】
観測時刻ＴｏｂＡｎｊでは、図８に示すように、制御部２１は、新たな観測データＤｏｂ（ｔｎｊ）を取得すると、メモリ２６の容量不足を検出し、新たな観測データＤｏｂ（ｔｎｊ）のメモリ２６への記憶を破棄する。観測時刻ＴｏｂＡｎｊがアップロード時刻の場合、制御部２１は、メモリ２６に記憶されている観測データＤｏｂ（ｔｎｉ）から観測時刻の新しい順に複数の観測データをアップロードする。
【００７４】
観測時刻ＴｏｂＡｎｋでは、図８に示すように、制御部２１は、新たな観測データＤｏｂ（ｔｎｋ）を取得すると、メモリ２６の容量不足を検出し、新たな観測データＤｏｂ（ｔｎｋ）のメモリ２６への記憶を破棄する。観測時刻ＴｏｂＡｎｋがアップロード時刻の場合、制御部２１は、メモリ２６に記憶されている観測データＤｏｂ（ｔｎｉ）から観測時刻の新しい順に複数の観測データをアップロードする。
【００７５】
このような構成とすることによって、メモリ２６の記憶容量を超える観測データＤｏｂを取得した場合にも、特定の期間の観測データを確実にアップロードすることができる。このアップロードすべき期間は、解析装置４０で操作入力して、制御部２１に設定することができる。
【００７６】
なお、上述のアップロードの周期Ｔｃｙ、各子機Ａ，Ｂ，Ｃのアップロード時刻ＴｕｐＡ，ＴｕｐＢ，ＴｕｐＣは適宜設定することができる。図９は、本発明の実施形態に係る観測データ送信方法におけるアップロード時刻を変更したタイミングチャートである。
【００７７】
図９に示すように、アップロード時刻ＴｕｐＡ，ＴｕｐＢ，ＴｕｐＣによって決定される各子機のアップロードに割り当てられた時間長は、異ならせることができる。この時間の設定は、解析装置４０で操作入力して、制御部２１に設定することができる。
【００７８】
この構成を用いることによって、子機毎の無線通信状況に応じて、アップロードの時間長を設定することができる。
【００７９】
例えば、無線通信環境が良好な子機は、ビットレートが高い無線通信が可能である。したがって、このような子機に対しては、アップロードの時間長を短く設定することができる。
【００８０】
一方、無線通信環境が悪い子機は、ビットレートが低い無線通信しかできないことがある。したがって、このような子機に対しては、アップロードの時間長を長く設定することができる。
【００８１】
これにより、複数の子機の無線通信環境に応じて、観測データをより確実にアップロードすることができる。
【００８２】
なお、過去の無線通信環境状況、例えば、無線通信が切れる回数、無線通信の信号強度等に基づいて、解析装置４０においてアップロードの時間長の割り当てを自動で設定することもできる。また、解析装置４０は、送信間隔を調整することも可能である。例えば、子機の電源寿命を長くする場合には、送信間隔を長く設定する。子機は、送信を行わない期間では、低電力状態もしくは計時機能を除いて電源をオフする設定にしておく。この電源の設定も解析装置４０で設定することもできる。このような設定を行うことによって、子機の電源の長寿命化が可能になる。
【００８３】
また、上述の説明では、子機で生成する解析データを、ＧＮＳＳ信号の受信結果から得られるものとしたが、次のデータを含むことも可能である。子機に雨量計を備えることによって、解析データに雨量を含むことができる。子機に加速度センサを備えることによって、解析データに加速度を含むことができる。子機に傾斜計を備えることによって、解析データに傾斜量を含むことができる。さらに、気候観測結果、土壌水分量、地下水位量等も、これらの計測装置を子機に備えることによって、解析データに含むことができる。
【符号の説明】
【００８４】
１０：観測システム
２０：子機（観測データ送信装置）
２１：制御部
２２：ＧＮＳＳ受信機
２３：ＧＮＳＳアンテナ
２４：無線ＬＡＮ制御部
２５：無線ＬＡＮ用アンテナ
２６：メモリ
２７：通知部
３０：親機（中継機）
４０：ファイルサーバ
５０：解析装置
１００：通信ネットワーク
【図１】
0006554295.tif 000002
【図２】
0006554295.tif 000003
【図３】
0006554295.tif 000004
【図４】
0006554295.tif 000005
【図５】
0006554295.tif 000006
【図６】
0006554295.tif 000007
【図７】
0006554295.tif 000008
【図８】
0006554295.tif 000009
【図９】
0006554295.tif 000010